(57)【要約】【課題】  部品点数を削減することができ、組立工数を低減できるチューナモジュールを提供すること。【解決手段】  プリント配線基板と、アンテナ装置で受信された高周波の受信信号を入力するために、プリント配線基板に形成されたＲＦ入力部と、受信信号を復調して音声信号を出力するために、プリント配線基板に実装された電子部品と、受信信号を受けるために、ＲＦ入力部に接続されるＲＦコネクタ９２Ａと、プリント配線基板を収容して電子部品をシールドするための、ダイカスト成形された金属シャーシ１０Ａと、を有するチューナモジュール１００Ａにおいて、ＲＦコネクタ９２Ａは、ＲＦハウジング９２５Ａと、このＲＦハウジング内に収容されたＲＦ信号伝達部材９２７とから構成され、ＲＦコネクタのＲＦハウジング９２５Ａが、金属シャーシ１０Ａと一体にダイカスト成形されている。【選択図】      図６
2009302990.tif 000002
【特許請求の範囲】
【請求項１】
プリント配線基板と、アンテナ装置で受信された高周波の受信信号を入力するために、前記プリント配線基板に形成されたＲＦ入力部と、前記受信信号を復調して音声信号を出力するために、前記プリント配線基板に実装された電子部品と、前記受信信号を受けるために、前記ＲＦ入力部に接続されるＲＦコネクタと、前記プリント配線基板を収容して前記電子部品をシールドするための、ダイカスト成形された金属シャーシと、を有するチューナモジュールにおいて、
前記ＲＦコネクタは、ＲＦハウジングと、該ＲＦハウジング内に収容されたＲＦ信号伝達部材とから構成され、
前記ＲＦコネクタのＲＦハウジングが、前記金属シャーシと一体にダイカスト成形されていることを特徴とするチューナモジュール。
【請求項２】
前記金属シャーシは、前記プリント配線基板を間に挟み込む一対のシャーシから構成され、
前記ＲＦコネクタのＲＦハウジングは、前記一対のシャーシの一方と一体になっている、請求項１に記載のチューナモジュール。
【請求項３】
前記ＲＦ信号伝達部材は、ＲＦ中心導体と、該ＲＦ中心導体と前記ＲＦハウジングとの間に設けられたＲＦ絶縁体とから構成される、請求項１又は２に記載のチューナモジュール。
【請求項４】
前記ＲＦコネクタは、相手ハウジングを有する相手コネクタと結合されるように適合されており、前記相手コネクタの相手ハウジングは、円筒状の空間を持つ相手外筒部と、該相手外筒部に穿設された孔とを有し、
前記ＲＦコネクタのＲＦハウジングは、
円筒状のＲＦ外筒部と、
前記孔に係合するために、前記ＲＦ外筒部の外壁に設けられた爪と、
を有する、請求項１乃至３のいずれか１つに記載のチューナモジュール。
【請求項５】
前記相手コネクタの相手ハウジングは、その内壁に形成されたガイド溝を有し、
前記ＦＲコネクタのＲＦハウジングは、前記ガイド溝に挿入されるように、前記ＲＦ外筒部の外壁に設けられたガイド突条を更に有する、請求項４に記載のチューナモジュール。
【発明の詳細な説明】
【技術分野】
【０００１】
本発明は、ラジオ受信機用のチューナモジュールに関し、特に、人工衛星からの電波（以下「衛星波」とも呼ぶ）または地上での電波（以下「地上波」とも呼ぶ）を受信してデジタルラジオ放送を聴取することが可能な車載用デジタルラジオ受信機に適したチューナモジュールに関する。
【背景技術】
【０００２】
最近、衛星波または地上波を受信して、デジタルラジオ放送を聴取可能にしたデジタルラジオ受信機が開発され、米国において実用化されている。このデジタルラジオ受信機は、一般には、自動車等の移動局に搭載され、周波数が約２．３ＧＨｚ帯の電波を受信してラジオ放送を聴取することが可能である。すなわち、デジタルラジオ受信機は、モバイル放送を聴取することが可能なラジオ受信機である。受信電波の周波数が約２．３ＧＨｚなので、そのときの受信波長（共振波長）λは約１２８．３ｍｍである。尚、地上波は、衛星波を一旦、地球局で受信した後、周波数を若干シフトし、直線偏波で再送信したものである。すなわち、衛星波は円偏波であるのに対して、地上波は直線偏波である。
【０００３】
このようにデジタルラジオ放送では、約２．３ＧＨｚ帯の周波数の電波が使用されるので、それを受信するアンテナは室外に設置する場合が多い。したがって、デジタルラジオ受信機を自動車に搭載する場合には、そのアンテナを自動車の屋根に取り付ける。このような自動車用アンテナと自動車の室内に設置される受信機本体（ヘッドユニット）とはケーブルを介して電気的に接続される。ヘッドユニットは外部機器として動作する。
【０００４】
この種の衛星波または地上波を受信する受信システムは、アンテナ部（アンテナ装置）とチューナ部（衛星ラジオチューナ）とを含む。アンテナ部（アンテナ装置）は衛星波または地上波を受信して高周波の受信信号を出力する。チューナ部（衛星ラジオチューナ）は受信信号を復調して音声信号を出力する。
【０００５】
このようなチューナを構成する電子部品は、通常、プリント配線基板に実装されてシールドを兼ねる金属ケースに収容される（例えば、特許文献１参照）。
【０００６】
一般的に、衛星デジタルラジオ受信機は、アンテナ、チューナ部、信号復調部、チャンネル復調部、音声デコーダ、データデコータ、制御部、および操作部を有する（例えば、特許文献２参照）。
【０００７】
プリント配線基板を備えたチューナモジュールが知られている（例えば、特許文献３参照）。この特許文献３に開示されたチューナモジュールは、プリント配線基板と、アンテナ装置で受信された高周波の受信信号を入力するために、プリント配線基板に形成されたＲＦ入力部と、受信信号を復調して音声信号を出力するために、プリント配線基板に実装された電子部品とを有する。ＲＦ入力部には、信号ピンと接地ピンとを含むＲＦコネクタが接続される。また、プリント配線基板はアルミニウム製の金属ケース（シャーシ）に収容される。金属ケース（シャーシ）は、プリント配線基板を間に挟み込む、アルミニウム製のダイカスト成形品による一対のケース（シャーシ）から構成される。
【０００８】
また、枠体（シャーシ）が第１の同軸型コネクタの第１の外部導体を兼ねるようにした、電子回路ユニットも知られている（例えば、特許文献４参照）。この特許文献４に開示された電子回路ユニットは、金属板からなる側板を有する枠体（シャーシ）と、この枠体に設けられた第１の同軸型コネクタと、枠体内に配設された回路基板とを備える。第１の同軸型コネクタは、側板から直角方向に外方へ突出する突出部からなる第１の外部導体と、この第１の外部導体内に設けられた絶縁体と、この絶縁体によって、第１の外部導体と絶縁された状態で第１の外部導体内に取り付けられた第１の中心導体とで構成されている。第１の外部導体は、枠体（シャーシ）の一つの側板に絞り加工等によって設けられる。第１の外部導体は、側板に対して直角方向で、外方に突出する突出部からなる円筒状部と、この円筒状部の中心部に貫通して設けられた孔とを有する。第１の外部導体の孔内に、絶縁体が圧入、或いは成型加工によって設けられている。第１の中心導体は、絶縁体を介して取り付けられている。
【０００９】
また、第１の同軸型コネクタには、第２の同軸型コネクタが接続される。第２の同軸型コネクタは、筒状の第２の外部導体と、この第２の外部導体内に設けられた絶縁体と、この絶縁体によって、第２の外部導体と絶縁された状態で第２の外部導体内に取り付けられた第２の中心導体とで構成される。第１および第２の同軸型コネクタは、第１および第２の外部導体が接続されると共に、第１および第２の中心導体が接続される。
【００１０】
【特許文献１】特開平６−２０９２６８号公報
【特許文献２】特開２００２−３４４３３５号公報
【特許文献３】特開２００８−７８７０１号公報
【特許文献４】特開２００３−２１９３１６号公報
【発明の開示】
【発明が解決しようとする課題】
【００１１】
特許文献３に開示されたチューナモジュールでは、ダイカスト成型された金属ケースとＲＦコネクタとは別体である。その為、部品点数が多いという欠点がある。また、ＲＦコネクタをプリント配線基板のＲＦ入力部に取り付ける際、端子５点を半田付けする必要がある。その為、組立工数が増加するという問題もある。
【００１２】
一方、特許文献４に開示された電子回路ユニットでは、枠体は板金加工された板金シャーシからなり、その側面に第１の同軸コネクタの第１の外部導体が絞り加工などによって設けられている。枠体は、板金加工により作製されるので、抜き方向の制約から、折り曲げに関して制約がある。すなわち、板金加工で作製される枠体（板金シャーシ）では、複雑な構成を有する第１の外部導体を枠体に付加することは困難である。
【００１３】
したがって、本発明の課題は、部品点数を削減することができる、チューナモジュールを提供することにある。
【００１４】
本発明の他の課題は、組立工数を低減できる、チューナモジュールを提供することにある。
【００１５】
本発明のもっと他の課題は、複雑な構造を持つコネクタのハウジングを備えたシャーシを有する、チューナモジュールを提供することにある。
【課題を解決するための手段】
【００１６】
本発明によれば、プリント配線基板（２０）と、アンテナ装置で受信された高周波の受信信号を入力するために、プリント配線基板に形成されたＲＦ入力部（２０９）と、受信信号を復調して音声信号を出力するために、プリント配線基板に実装された電子部品（２１、２２、２３）と、受信信号を受けるために、ＲＦ入力部に接続されるＲＦコネクタ（９２Ａ）と、プリント配線基板を収容して電子部品をシールドするための、ダイカスト成形された金属シャーシ（１０Ａ）と、を有するチューナモジュール（１００Ａ）において、ＲＦコネクタ（９２Ａ）は、ＲＦハウジング（９２５Ａ）と、このＲＦハウジング内に収容されたＲＦ信号伝達部材（９２７）とから構成され、ＲＦコネクタのＲＦハウジング（９２５Ａ）が、金属シャーシ（１０Ａ）と一体にダイカスト成形されていることを特徴とするチューナモジュール（１００Ａ）が得られる。
【００１７】
上記本発明によるチューナモジュール（１００Ａ）において、金属シャーシ（１０Ａ）は、プリント配線基板（２０）を間に挟み込む一対のシャーシ（１１、１２Ａ）から構成されてよい。その場合、ＲＦコネクタ（９２Ａ）のＲＦハウジング（９２５Ａ）は、一対のシャーシの一方（１２Ａ）と一体になっている。ＲＦ信号伝達部材（９２７）は、ＲＦ中心導体（９２７−１）と、このＲＦ中心導体とＲＦハウジング（９２５Ａ）との間に設けられたＲＦ絶縁体（９２７−２）とから構成されてよい。ＲＦコネクタ（９２Ａ）は、相手ハウジング（５５）を有する相手コネクタ（５０）と結合されるように適合されている。相手コネクタ（５０）の相手ハウジング（５５）は、円筒状の空間を持つ相手外筒部（５５−１）と、この相手外筒部に穿設された孔（５５−２）とを有する。この場合、ＲＦコネクタ（９２Ａ）のＲＦハウジング（９２５Ａ）は、円筒状のＲＦ外筒部（９２５Ａ−１）と、孔に係合するために、ＲＦ外筒部の外壁に設けられた爪（９２５Ａ−２）と、を有することが好ましい。相手コネクタ（５０）の相手ハウジング（５５）は、その内壁に形成されたガイド溝（５５−３）を有する。この場合、ＦＲコネクタ（９２Ａ）のＲＦハウジング（９２５Ａ）は、ガイド溝に挿入されるように、ＲＦ外筒部の外壁に設けられたガイド突条（９２５Ａ−３）を更に有することが好ましい。
【００１８】
尚、上記括弧内の符号は、本発明の理解を容易にするために付したものであり、一例にすぎず、これらに限定されないのは勿論である。
【発明の効果】
【００１９】
本発明では、ＲＦコネクタのＲＦハウジングが、金属シャーシと一体にダイカスト成形されているので、部品点数を削減することができる。
【発明を実施するための最良の形態】
【００２０】
以下、図面を参照して、本発明の実施の形態について詳細に説明する。
【００２１】
最初に、図１乃至図５を参照して、本発明の理解を容易するにするために、上記特許文献３に開示されている、従来のチューナモジュール１００について説明する。図１乃至図５において、前後方向（奥行き方向、厚さ方向）をＸ軸方向で表し、左右方向（横方向、幅方向）をＹ軸方向で表し、上下方向（高さ方向）をＺ方向で表している。図示のチューナモジュール１００は、メイン基板の主面上に縦型に設置される（縦形取り付けの）例を示している。しかしながら、本発明は、チューナモジュールをメイン基板の主面上に横型に設置する（伏せ形取り付け）場合にも適用可能なのは勿論である。
【００２２】
図１乃至図３は、車載用デジタルラジオ受信機の構成要素のうち、チューナ部と復調部、音声デコーダ部、データデコーダ部およびこれらを制御するコントローラが１つのプリント配線基板に実装され、このプリント配線基板が金属ケースに収容される場合について示している。このような構成をここではチューナモジュールと呼ぶ。
【００２３】
図１および図２において、チューナモジュール１００は金属シャーシ１０とプリント配線基板２０とを有する。金属シャーシ１０は、アルミダイカスト成形体であるフロントシャーシ１１及びリアシャーシ１２から成る。尚、チューナモジュール１００が横置きの場合、フロントシャーシ１１はロアーシャーシとして、リアシャーシ１２はアッパーシャーシとして、それぞれ用いられる。この場合、プリント配線基板２０に取り付けられるコネクタピン（後述する）の配列の仕方も異なる。
【００２４】
フロントシャーシ１１は、実質的に左右方向Ｙおよび上下方向Ｚで規定されるＹ−Ｚ平面と平行に延在する直方体形状をしている。フロントシャーシ１１は、互いに上下方向で対向する上辺１１ａおよび下辺１１ｂと、互いに左右方向Ｙで対向する左辺１１ｃおよび右辺１１ｄとを持つ。フロントシャーシ１１は、互いに前後方向Ｘで対向する前面１１ｅおよび背面１１ｆを持つ。
【００２５】
同様に、リアシャーシ１２も、実質的に左右方向Ｙおよび上下方向Ｚで規定されるＹ−Ｚ平面と平行に延在する直方体形状をしている。リアシャーシ１２は、互いに上下方向で対向する上辺１２ａおよび下辺１２ｂと、互いに左右方向Ｙで対向する左辺１２ｃおよび右辺１２ｄとを持つ。リアシャーシ１２は、互いに前後方向Ｘで対向する前面１２ｅおよび背面１２ｆを持つ。
【００２６】
プリント配線基板２０は、左右方向Ｙおよび上下方向Ｚで規定されるＹ−Ｚ平面と平行に延在する略矩形の平板状をしている。プリント配線基板２０は、互いに上下方向Ｚで対向する上辺２０ａおよび下辺２０ｂと、互いに左右方向Ｙで対向する左辺２０ｃおよび右辺２０ｄとを持つ。プリント配線基板２０は、互いに前後方向Ｘで対向する前面２０ｅおよび背面２０ｆを持つ。プリント配線基板２０の前面２０ｅ側にフロントシャーシ１１が配置され、背面２０ｆ側にリアシャーシ１２が配置されている。
【００２７】
プリント配線基板２０は、外部との電気的接続が必要な部分（後述する）を除いて、フロントシャーシ１１とリアシャーシ１２との間の空間に収容され、シールドが実現される。すなわち、プリント配線基板２０は、第１乃至第５の基板固定用ネジ（後述する）を使用して、フロントシャーシ１１とリアシャーシ１２との間で挟まれた状態で固定される。
【００２８】
フロントシャーシ１１は、第１乃至第５の基板固定用ネジがそれぞれ螺合される第１乃至第５のフロントネジ孔１１１、１１２、１１３、１１４、および１１５を持つ。第１のフロントネジ孔１１１は、フロントシャーシ１１の左上角部に設けられている。第２のフロントネジ孔１１２は、フロントシャーシ１１の左下角部に設けられている。第３のフロントネジ孔１１３は、フロントシャーシ１１の右辺１１ｄ近傍の上辺１１ａ側に設けられている。第４のフロントネジ孔１１４は、フロントシャーシ１１の右下角部に設けられている。第５のフロントネジ孔１１５は、この第４のネジ孔１１４より内側の下辺１１ｂ側に設けられている。
【００２９】
一方、リアシャーシ１２は、上記第１のフロントネジ孔１１１と対応する位置に第１の基板固定用ネジが螺合されるネジ孔が穿設された第１のリアネジボス部１２１を持ち、上記第２のフロントネジ孔１１２と対応する位置に第２の基板固定用ネジが螺合されるネジ孔が穿設された第２のリアネジボス部１２２を持つ。また、リアシャーシ１２は、上記第３のフロントネジ孔１１３と対応する位置に第３の基板固定用ネジが螺合されるネジ孔が穿設された第３のリアネジボス部１２３を持つ。図示はしていないが、リアシャーシ１２は、上記第４及び第５のフロントネジ孔１１４及び１１５と対応する位置に、それぞれ、第４及び第５の基板固定用ネジが螺合される第４及び第５のリアネジ孔を持つ。
【００３０】
プリント配線基板２０は、上記第１のフロントネジ孔１１１と対応する位置で、第１のリアネジボス部１２１が挿入される第１の貫通孔２０１を持ち、上記第２のフロントネジ孔１１２と対応する位置で、第２のリアネジボス部１２２が挿入される第２の貫通孔２０２を持つ。また、プリント配線基板２０は、上記第３のフロントネジ孔１１３と対応する位置で、第３のリアネジボス部１２３が挿入される第３の貫通孔２０３を持つ。さらに、プリント配線基板２０は、上記第４及び第５のフロントネジ孔１１４及び１１５と対応する位置で、それぞれ第４及び第５の基板固定用ネジを貫通させるための第４及び第５の貫通孔２０４及び２０５を持つ。
【００３１】
図３において、プリント配線基板２０は、その前面２０ｅおよび背面２０ｆに電子部品を実装している。図３（ａ）はプリント配線基板２０の背面２０ｆ側を示し、図３（ｂ）はプリント配線基板２０の前面２０ｅ側を示している。但し、図３（ｂ）では、プリント配線基板２０の上下を逆にして示してある。
【００３２】
図３（ａ）に示されるように、プリント配線基板２０の背面２０ｆには、チューナ部の主要構成部品である第１のＩＣ部品２１及び復調部の主要構成部品である第２のＩＣ部品２２が実装されている。一方、図３（ｂ）に示されるように、プリント配線基板２０の前面２０ｅには、コントローラの主要構成部品である第３のＩＣ部品２３が実装されている。
【００３３】
図１に示されるように、プリント配線基板２０の前面２０ｅと接触する側の、フロントシャーシ１１の背面（内壁面）１１ｆ側には、プリント配線基板２０に実装される電子部品あるいは電子部品群（複数の電子部品が隣接して配置される場合）のサイズに対応した凹部１１７が形成されている。同様に、図２に示されるように、プリント配線基板２０の背面２０ｆと接触する側の、リアシャーシ１２の前面（内壁面）１２ｅ側には、プリント配線基板２０に実装される電子部品あるいは電子部品群（複数の電子部品が隣接して配置される場合）のサイズに対応した凹部１２７が形成されている。これは、チューナモジュール１００の厚さをできるだけ小さくするためであるが、プリント配線基板２０上に形成される導体パターンや、短絡されると問題のある部品については金属ケース１０に接触しないようにされるか、あるいは絶縁が施されることは言うまでもない。
【００３４】
図１を参照して、第１乃至第３のＩＣ部品２１〜２３のうち第２及び第３のＩＣ部品２２及び２３の上面（ここでは全面）、あるいはこれに対応する金属シャーシ１０の内面（リアケース１２の前面１２ｅおよびフロントケース１１の背面１２ｆ）に熱伝導シート３２、３３を貼着している。これらの熱伝導シート３２、３３は、それぞれ、熱伝導を良くするために第２のＩＣ部品２２とリアシャーシ１２の前面（内面）１２ｅ、第３のＩＣ部品２３とフロントシャーシ１１の背面（内面）１１ｆに面接触により密着させるようにしている。熱伝導シートの材料としては、例えばシリコーンゴム、アクリルゴム、黒鉛等が挙げられる。
【００３５】
一方、金属シャーシ１０の外面、つまりリアシャーシ１２の背面（外面）１２ｆ及びフロントシャーシ１１の前面（外面）１１ｅにはそれぞれ、熱伝導シート３２、３３に対応する領域を含む領域に放熱シート４２、４３が貼着されている。放熱シート４２、４３の貼着領域は、熱伝導シート３２、３３の貼着領域を含むようにするのが好ましいが、外れていても良い。放熱シートの材料としては、例えば、液体セラミックとガラスクロスの混合材料等が挙げられる。
【００３６】
以上のような構成によれば、熱伝導シート３２、３３及び放熱シート４２、４３のいずれも薄いものであるので、チューナモジュール１００全体のサイズ、特に厚さ方向Ｘのサイズを大きくすることは無い。そして、第２、第３のＩＣ部品２２、２３で発生した熱は、熱伝導シート３２、３３を介してリアシャーシ１２、フロントシャーシ１１に良好に伝達される。リアシャーシ１２、フロントシャーシ１１は熱伝導率の高い、つまり放熱効果の良好なアルミダイカスト製であり、これに加えて金属シャーシ１０の外面には放熱シート４２、４３が貼着されていることにより更に放熱性能が向上する。放熱性試験によれば、図１に示したチューナモジュール１００は、熱伝導シート及び放熱シートが無い場合に比較して、１０℃前後の温度低下が確認されている。また、８５℃の雰囲気中での性能試験においても正常に動作することが確認されている。
【００３７】
図１に示されるように、プリント配線基板２０には、その下辺２０ｂ側に、メイン基板（図示せず）の配線パターンに対して差し込まれるコネクタピン２５が取り付けられる。一方、フロントシャーシ１１は、このコネクタピン２５の設置位置と対応する下辺１１ｂの位置に、矩形のコネクタ用フロント切欠き部１１８を持つ。同様に、リアシャーシ１２も、このコネクタピン２５の設置位置と対応する下辺１２ｂの位置に、矩形のコネクタ用リア切欠き部１２８を持つ。
【００３８】
また、プリント配線基板２０は、右上角部に、アンテナ装置（図示せず）からの高周波（ＲＦ）の受信信号を入力するためのＲＦ入力部２０９を持つ。一方、フロントシャーシ１１は、このＲＦ入力部２０９と対応する右辺１１ｄの位置に、矩形のＲＦ入力用フロント凹部１１９を持つ。同様に、リアシャーシ１２は、このＲＦ入力部２０９と対応する右辺１２ｄの位置に、矩形のリア切欠き部１２９を持つ。ＲＦ入力部２０９は、同軸ケーブルとＲＦコネクタのいずれにも対して対応可能な特定のパターンを有している。
【００３９】
尚、図示のチューナモジュール１００は、縦型（縦置き）なので、図示しないブラケットによって、チューナモジュール１００はメイン基板の主面上に保持しながら取り付けられる。ブラケットは、第１乃至第４の取付けネジ（図示せず）によってチューナモジュール１００に取り付けられる。ブラケットの材料は、スチールまたは亜鉛メッキ鋼板から成る。このため、金属シャーシ１０がアルミニウム製のチューナモジュール１００と異なり、ブラケットはメイン基板に半田付けすることが可能である。
【００４０】
図２に示されるように、フロントシャーシ１１の前面１１ｅには、上記第１乃至第４の取付けネジが螺合されるネジ孔が穿設された第１乃至第４のフロントネジボス部１５１、１５２、１５３、および１５４が、前面１１ｅから前方へ突出して設けられている。第１乃至第４のフロントネジボス部１５１〜１５４は、それぞれ、第１乃至第４のフロントネジ孔１１１〜１１４の近傍に設けられている。また、フロントシャーシ１１の前面１１ｅには、ブラケットを位置決めするための第１及び第２の位置決め突起１５６、１５７が、前面１１ｅから前方へ突出して設けられている。第１の位置決め突起１５６は、第１のフロントネジボス部１５１の近傍に設けられ、第２の位置決め突起１５７は、第４のフロントネジボス部１５４の近傍に設けられている。
【００４１】
図４及び図５は、ＲＦ入力部２０９にＲＦコネクタ９２を電気的に接続した状態を示す図である。図４はＲＦコネクタ９２が接続されたプリント配線基板２０を背面側から見た斜視図であり、図５はＲＦコネクタ９２が接続されたプリント配線基板２０を前面側から見た斜視図である。
【００４２】
図５に示されるように、ＲＦコネクタ９２は、中心部から突出する１本の信号ピン９２１と、この信号ピンの周囲に配置された４本の接地ピン９２２とを有する。
【００４３】
ＲＦコネクタ９２の信号ピン９２１は、ＲＦ入力部２０９の信号ピン用挿入穴（図示せず）に挿入される。一方、ＲＦコネクタ９２の４本の接地ピン９２２は、ＲＦ入力部２０９の４つの接地ピン用挿入穴（図示せず）に挿入される。そして、信号ピン９２１と信号ピン用挿入穴、および４本の接地ピン９２２と４つの接地ピン用挿入穴は、プリント配線基板２０の前面２０ｅ側で半田（図示せず）によって電気的に接続される。
【００４４】
ＲＦコネクタ９２は、ＲＦハウジング（ＲＦ外部導体）９２５と、このＲＦハウジング９２５内に収容されたＲＦ信号伝達部材（図示せず）とから構成される。ＲＦコネクタ９２は、相手コネクタ（後述する）と結合（接続）されるように適合されている。
【００４５】
詳述すると、ＲＦコネクタ９２のＲＦハウジング（外部導体）９２５は、円筒状のＲＦ外筒部９２５−１と、このＲＦ外筒部９２５−１の外壁に設けられた爪９２５−２と、ＲＦ外筒部９２５−１の外壁に設けられた一対のガイド突条９２５−３とを有する。爪９２５−２は、相手コネクタの相手ハウジングに穿設された孔に係合される。一対のガイド突条９２５−３は、相手コネクタのＲＦハウジングに設けられた一対のガイド溝に挿入される。
【００４６】
尚、ＲＦコネクタ９２のＲＦ信号伝達部材は、信号ピン（ＲＦ中心導体）９２１と、この信号ピン９２１とＲＦハウジング（ＲＦ外部導体）９２５との間に設けられたＲＦ絶縁体とから構成される。同様に、相手コネクタの相手信号伝達部材は、相手中心導体と、この相手中心導体と相手ハウジング（相手外部導体）との間に設けられた相手絶縁体とから構成される。
【００４７】
したがって、相手コネクタをＲＦコネクタ９２と連結させたとき、ＦＲコネクタ９２のＲＦハウジング（外部導体）と相手コネクタの相手ハウジング（相手外部導体）とが電気的に接続され、ＲＦコネクタ９２の信号ピン（ＲＦ中心導体）と相手コネクタの相手中心導体とが電気的に接続される。
【００４８】
尚、図示の例では、ＲＦコネクタ９２は雄型コネクタから構成され、相手コネクタは雌型コネクタから構成される。また、相手コネクタには、同軸ケーブルの一端部が接続され、その同軸ケーブルの他端部はアンテナ装置に接続される。
【００４９】
上述したように、従来のチューナモジュール１００では、ダイカスト成形された金属シャーシ１０とＲＦコネクタ９２とは別体である。その為、部品点数が多いという欠点がある。また、ＲＦコネクタ９２をプリント配線基板２０のＲＦ入力部２０９に取り付ける際、図５に示されるように、端子５点を半田付けする必要がある。その為、組立工数が増加するという問題もある。
【００５０】
また、ＲＦコネクタ９２のＲＦハウジング（ＲＦ外部導体）９２５は、爪９２５−２や一対のガイド突条９２５−３を持つ、複雑な構成（構造）をしている。したがって、上記引用文献４に開示されているように、ＲＦコネクタ９２のＲＦ外部導体９２５を板金加工によって作製することは困難である。
【００５１】
図６乃至図８を参照して、本発明の一実施の形態に係るチューナモジュール１００Ａについて説明する。図示のチューナモジュール１００Ａは、金属シャーシのリアシャーシとＲＦコネクタとが、後述するように相違している点を除いて、図１乃至図５に示した従来のチューナモジュール１００と同様の構成を有する。したがって、金属シャーシ、リアシャーシ、およびＲＦコネクタに、それぞれ、１０Ａ、１２Ａ、および９２Ａの参照符号を付してある。図１乃至図５に示したものと同様の機能を有するものには同一の参照符号を付して、説明の簡略化のために、以下では相違点についてのみ説明する。
【００５２】
図６はリアシャーシ１２ＡとＲＦコネクタ９２Ａの分解斜視図である。図７及び図８は、ＲＦコネクタ９２Ａをリアシャーシ１２Ａに組み付けた組立斜視図である。
【００５３】
ＲＦコネクタ９２Ａは、ＲＦハウジング（ＲＦ外部導体）９２５Ａと、ＲＦ信号伝達部材９２７とから構成される。ＲＦ信号伝達部材９２７は、ＲＦハウジング（ＲＦ外部導体）９２５Ａ内に収容される。
【００５４】
図６に示されるように、ＲＦコネクタ９２ＡのＲＦハウジング（ＲＦ外部導体）９２５Ａは、リアシャーシ１２Ａと一体にダイカスト成形されている。したがって、部品点数を削減することができる。
【００５５】
図９および図１０に、ＲＦコネクタ９２Ａと嵌合（接続）される相手コネクタ５０を示す。図９は相手コネクタ５０の正面図であり、図１０は相手コネクタ５０の平面図である。
【００５６】
ＲＦコネクタ９２Ａは、相手コネクタ５０と結合（接続）されるように適合されている。図示のＲＦコネクタ９２Ａは雄型コネクタから構成され、相手コネクタ５０は雌型コネクタから構成される。相手コネクタ５０には、同軸ケーブル６０の一端部が接続され、その同軸ケーブル６０の他端部はアンテナ装置（図示せず）に接続される。
【００５７】
図６乃至図８に示されるように、ＲＦコネクタ９２ＡのＲＦハウジング（ＲＦ外部導体）９２５Ａは、円筒状のＲＦ外筒部９２５Ａ−１と、このＲＦ外筒部９２５Ａ−１の外壁に設けられた爪９２５Ａ−２と、ＲＦ外筒部９２５Ａ−１の外壁に設けられた一対のガイド突条９２５Ａ−３とを有する。
【００５８】
図９及び図１０に示されるように、相手コネクタ５０は、相手ハウジング（相手外部導体）５５と、相手信号伝達部材５７とから構成される。相手信号伝達部材５７は、相手ハウジング（相手外部導体）５５内に収容される。
【００５９】
相手コネクタ５０の相手ハウジング（相手外部導体）５５は、円筒状の空間を持つ相手外筒部５５−１と、この相手外筒部５５−１に穿設された孔５５−２と、相手外筒部５５−１の内壁に設けられた一対のガイド溝５５−３とを有する。
【００６０】
したがって、相手コネクタ５０をＲＦコネクタ９２Ａに嵌合（接続）する場合、ＲＦコネクタ９２Ａの一対のガイド突条９２５Ａ−３を、相手コネクタ５０の一対のガイド溝５５−３に挿入しながら摺動させ、図１１に示されるように、ＲＦコネクタ９２Ａの爪９２５Ａ−２を相手コネクタ５０の孔５５−２に係合させる。
【００６１】
尚、ＲＦコネクタ９２Ａの爪９２５Ａ−２と相手コネクタ５０の孔５５−２との間の係合は、相手コネクタ５０の相手ハウジング（外部導体）５５に設けられた操作部５８を押すことによって解除される。
【００６２】
図６乃至図８に戻って、ＲＦコネクタ９２ＡのＲＦ信号伝達部材９２７は、ＲＦ中心導体９２７−１と、このＲＦ中心導体９２７−１とＲＦハウジング（外部導体）９２５Ａとの間に設けられたＲＦ絶縁体７２７−２とから構成される。
【００６３】
同様に、図９に示されるように、相手コネクタ５０の相手信号伝達部材５７は、相手中心導体５７−１と、この相手中心導体５７−１と相手外部導体５５との間に設けられた相手絶縁体５７−２とから構成される。
【００６４】
したがって、相手コネクタ５０をＲＦコネクタ９２Ａに連結させたとき、ＦＲコネクタ９２ＡのＲＦハウジング（ＲＦ外部導体）９２５Ａと相手コネクタ５０の相手ハウジング（相手外部導体）５５とが電気的に接続され、ＲＦコネクタ９２ＡのＲＦ中心導体９２７−１と相手コネクタ５０の相手中心導体５７−１とが電気的に接続される。
【００６５】
尚、ＲＦコネクタ９２ＡのＲＦ信号伝達部材９２７は、チューナモジュール１００Ａを組立てる工程の後工程で、ＲＦコネクタ９２ＡのＲＦハウジング（ＲＦ外部導体）９２５Ａに取り付けられる。
【００６６】
また、ＲＦコネクタ９２ＡのＲＦ中心導体９２７−１は、プリント配線基板２０のＲＦ入力部２０９の信号ピン用挿入穴（図示せず）に挿入され、ＲＦ中心導体９２７−１と信号ピン用挿入穴は、プリント配線基板２０の前面２０ｅ側で半田（図示せず）によって電気的に接続される。
【００６７】
したがって、ＲＦコネクタ９２Ａをプリント配線基板２０に取り付ける際、半田付けは１点だけで良い。その結果、組立工数を低減することができる。
【００６８】
以上、本発明について好ましい実施の形態によって説明してきたが、本発明は上述した実施の形態に限定しないのは勿論である。例えば、上記の実施の形態では、メイン基板の主面上に縦置きで設置されるチューナモジュールについて説明してきたが、本発明は、メイン基板の主面上に横置きで設置されるチューナモジュールにも適用可能である。この場合、第１のシャーシ１１がロアーシャーシとして、第２のシャーシ１２Ａがアッパーケースとして用いられる。Ｘ軸方向が上下方向（高さ方向）を、Ｙ軸方向が左右方向（横方向、幅方向）を、Ｚ軸方向が前後方向（奥行き方向、厚さ方向）をそれぞれ示す。そして、プリント配線基板に搭載される複数本のコネクタピンは、メイン基板の主面に対してＸ軸方向（上下方向）に沿って下方へ延在する。
【産業上の利用可能性】
【００６９】
本発明は、特に小型化が要求される車載用デジタルラジオ受信機におけるチューナモジュールに適しているが、ＲＦコネクタのＲＦハウジングが金属シャーシと一体にダイカスト成形されている型のラジオ受信機全般に適用できることは言うまでも無い。
【図面の簡単な説明】
【００７０】
【図１】従来のチューナモジュールの概略構成を示す斜視図である。
【図２】図１に示したチューナモジュールの概略構成を示す斜視図である。
【図３】図１に示したチューナモジュールを構成している回路部品を実施しているプリント配線基板を示す図で、（ａ）はプリント配線基板を背面側から見た背面図であり、（ｂ）はプリント配線基板を前面側から見た正面図である。
【図４】図４に示したプリント配線基板にＲＦコネクタを接続した状態を、背面側から見た部分斜視図である。
【図５】図４の状態を、前面（正面）側から見た部分斜視図である。
【図６】本発明の一実施の形態に係るチューナモジュールに使用される、リアシャーシとＲＦコネクタの分解斜視図である。
【図７】図６に示したＲＦコネクタをリアシャーシに組み付けた組立斜視図である。
【図８】図６に示したＲＦコネクタをリアシャーシに組み付けた組立斜視図である。
【図９】図６乃至図８に示したＲＦコネクタと嵌合（接続）される相手コネクタの正面図である。
【図１０】図９に示した相手コネクタの平面図である。
【図１１】図９及び図１０に示した相手コネクタを、図６乃至図８に示したＲＦコネクタに嵌合（接続）した状態を示す平面図である。
【符号の説明】
【００７１】
１０Ａ    金属シャーシ
１１    フロントシャーシ
１２Ａ    リアシャーシ
２０    プリント配線基板
２１〜２３    ＩＣ部品
２０９    ＲＦ入力部
５０    相手コネクタ
５５    相手ハウジング
５５−１    相手外筒部
５５−２    孔
５５−３    ガイド溝
９２Ａ    ＲＦコネクタ
９２５Ａ    ＲＦハウジング
９２５Ａ−１    ＲＦ外筒部
９２５Ａ−２    爪
９２５Ａ−３    ガイド突条
９２７    ＲＦ信号伝達媒体
９２７−１    ＲＦ中心導体
９２７−２    ＲＦ絶縁体
１００Ａ    チューナモジュール
【図１】
2009302990.tif 000003
【図２】
2009302990.tif 000004
【図３】
2009302990.tif 000005
【図４】
2009302990.tif 000006
【図５】
2009302990.tif 000007
【図６】
2009302990.tif 000008
【図７】
2009302990.tif 000009
【図８】
2009302990.tif 000010
【図９】
2009302990.tif 000011
【図１０】
2009302990.tif 000012
【図１１】
2009302990.tif 000013